(57)【要約】【課題】色域圧縮された画像データを他のデバイス用の画像データに色変換するためのデバイスリンクプロファイルを作成する際に、他のデバイスの色域を有効に活用する。【解決手段】デバイスＮのＢｔｏＡテーブル３２によりデバイスＮの色域最外周の第１のデバイス値から所定の範囲内のデバイス値に色変換される第１の色彩値を、ＢｔｏＡテーブル３２により色変換して第２のデバイス値を取得し、第２のデバイス値を、デバイスＮのＡｔｏＢテーブル３１により色変換して第２の色彩値を取得し、ＡｔｏＢテーブル３１に含まれる第１のデバイス値に対応する色彩値を、第１の色彩値と第２の色彩値との色差が最も大きい第１の色彩値に置き換えて、新たなＡｔｏＢテーブルを作成する。新たなＡｔｏＢテーブル及びデバイスＶのＢｔｏＡテーブル４２に基づいて、デバイスリンクプロファイルを作成する。【選択図】図１
2013005128.tif 000002
【特許請求の範囲】
【請求項１】
第１のデバイス用に予め色域圧縮された画像データを、第２のデバイス用の画像データに色変換するためのデバイスリンクプロファイルを作成するデバイスリンクプロファイル作成装置であって、
前記第１のデバイスのデバイス値に対して色彩値を対応付ける第１の色変換テーブル、色彩値に対して前記第１のデバイスのデバイス値を対応付ける第２の色変換テーブル、及び、色彩値に対して前記第２のデバイスのデバイス値を対応付ける第３の色変換テーブルを記憶する記憶部と、
前記第１の色変換テーブルに含まれるデバイス値のうち、前記第１のデバイスの色域最外周の複数の第１のデバイス値を抽出し、
当該抽出されたそれぞれの第１のデバイス値について、
前記第２の色変換テーブルにより当該第１のデバイス値から所定の範囲内のデバイス値に色変換される少なくとも一つの第１の色彩値を、前記第２の色変換テーブルにより色変換して第２のデバイス値を取得し、
前記第２のデバイス値を、前記第１の色変換テーブルにより色変換して第２の色彩値を取得し、
前記第１の色彩値と前記第２の色彩値との色差を算出し、
前記第１の色変換テーブルに含まれる当該第１のデバイス値に対応する色彩値を、前記第２の色彩値との色差が最も大きい前記第１の色彩値に置き換えることで、
新たな第１の色変換テーブルを作成し、
当該作成された新たな第１の色変換テーブル及び前記第３の色変換テーブルに基づいて、前記デバイスリンクプロファイルを作成する制御部と、
を備えるデバイスリンクプロファイル作成装置。
【請求項２】
前記第１の色彩値は、前記第２の色変換テーブルに含まれる色彩値である、
請求項１に記載のデバイスリンクプロファイル作成装置。
【請求項３】
前記第１のデバイス用に予め色域圧縮された画像データは、ＲＧＢ値から色変換されたものであり、
前記記憶部は、さらに、ＲＧＢ値に対して色彩値を対応付ける第４の色変換テーブルを記憶し、
前記第１の色彩値は、ＲＧＢ色空間における色域最外周のＲＧＢ値を前記第４の色変換テーブルにより色変換して得られた色彩値である、
請求項１に記載のデバイスリンクプロファイル作成装置。
【請求項４】
前記第１のデバイスの複数の要素色と前記第２のデバイスの複数の要素色とは同じ構成であり、
前記第１のデバイスと前記第２のデバイスとの間で異なる色味の要素色が少なくとも一つ以上ある、
請求項１から３のいずれか一項に記載のデバイスリンクプロファイル作成装置。
【請求項５】
前記第１のデバイス及び前記第２のデバイスは、電子写真方式のプリンターである、
請求項１から４のいずれか一項に記載のデバイスリンクプロファイル作成装置。
【請求項６】
第１のデバイスのデバイス値に対して色彩値を対応付ける第１の色変換テーブル、色彩値に対して前記第１のデバイスのデバイス値を対応付ける第２の色変換テーブル、及び、色彩値に対して第２のデバイスのデバイス値を対応付ける第３の色変換テーブルを用いて、前記第１のデバイス用に予め色域圧縮された画像データを、前記第２のデバイス用の画像データに色変換するためのデバイスリンクプロファイルを作成するデバイスリンクプロファイル作成方法であって、
前記第１の色変換テーブルに含まれるデバイス値のうち、前記第１のデバイスの色域最外周の複数の第１のデバイス値を抽出する工程と、
当該抽出されたそれぞれの第１のデバイス値について、
前記第２の色変換テーブルにより当該第１のデバイス値から所定の範囲内のデバイス値に色変換される少なくとも一つの第１の色彩値を、前記第２の色変換テーブルにより色変換して第２のデバイス値を取得し、
前記第２のデバイス値を、前記第１の色変換テーブルにより色変換して第２の色彩値を取得し、
前記第１の色彩値と前記第２の色彩値との色差を算出し、
前記第１の色変換テーブルに含まれる当該第１のデバイス値に対応する色彩値を、前記第２の色彩値との色差が最も大きい前記第１の色彩値に置き換えることで、
新たな第１の色変換テーブルを作成する工程と、
当該作成された新たな第１の色変換テーブル及び前記第３の色変換テーブルに基づいて、前記デバイスリンクプロファイルを作成する工程と、
を含むデバイスリンクプロファイル作成方法。
【発明の詳細な説明】
【技術分野】
【０００１】
本発明は、デバイスリンクプロファイル作成装置及びデバイスリンクプロファイル作成方法に関する。
【背景技術】
【０００２】
従来、印刷製版のワークフローでは、ＤＴＰ（DeskTop Publishing）データは全てＣＭＹＫで扱われている。元々ＲＧＢデータである写真画像のデータ等についても、事前にＣＭＹＫデータに変換された状態で製版会社等に保存され、再利用されている。
【０００３】
通常のプリンターと色味や色域が異なるデバイスを導入する場合には、保存されているＣＭＹＫデータを新たなデバイス用に色変換する必要があるが、保存されているＣＭＹＫデータは既に通常のプリンター用に色域が圧縮されているため、新たなデバイスの色域が通常のプリンターの色域より広い場合であっても、通常のプリンターの色域内の色しか表現することができない。
【０００４】
例えば、図９（ａ）に示す色域を有するＲＧＢデータを、通常トナー（ＣＭＹＫ）を用いたプリンター用に色変換する場合には、図９（ｂ）に示すように、通常トナーの色域内に圧縮される。この色域圧縮されたＣＭＹＫデータを、高彩度トナー（ＣＭＹＫ）を用いたプリンター用に色変換する場合には、図９（ｃ）に示すように、通常トナーの色域と高彩度トナーの色域が重なっている部分についてはそのまま色変換され、通常トナーの色域内で高彩度トナーの色域外である部分については圧縮される。すなわち、高彩度トナーの色域内であっても、通常トナーの色域外の色については、使われないことになる。
なお、図９（ａ）〜（ｃ）は、Ｌ＊ａ＊ｂ＊色空間の所定のＬ＊について、ａ＊ｂ＊平面内での色域を示したものである。
【０００５】
画像データを、より色域の広いデバイス用の画像データに色変換する方法として、色彩値を変えない部分を設けて部分的に色域を拡張する色推定方法（特許文献１参照）や、色域拡大時にデバイスの色域に応じて明度・彩度の拡張比率を決定する情報処理方法（特許文献２参照）が提案されている。
【先行技術文献】
【特許文献】
【０００６】
【特許文献１】特開平３−１５８０７５号公報
【特許文献２】特開２００９−１４７５８１号公報
【発明の概要】
【発明が解決しようとする課題】
【０００７】
しかしながら、特許文献１及び２に記載されている技術では、既に色域圧縮されている画像データに対する圧縮前の色域は考慮されておらず、また、複雑な計算処理が必要であった。
【０００８】
また、ＲＧＢデータから通常のプリンター用に色域が圧縮されたＣＭＹＫデータを用いて、より高彩度の色を印刷可能なプリンター（高彩度トナープリンター）で印刷する際に、高彩度トナーの色域を有効に活用するためには、元のＲＧＢデータから直接高彩度トナープリンター用に色変換し直す必要があるが、元のＲＧＢデータの保存場所を探して色変換するには手間がかかるという問題があった。あるいは、元のＲＧＢデータがない場合には、色変換し直すことができなかった。
【０００９】
本発明は上記の従来技術における問題に鑑みてなされたものであって、色域圧縮された画像データを他のデバイス用の画像データに色変換するためのデバイスリンクプロファイルを作成する際に、他のデバイスの色域を有効に活用することを課題とする。
【課題を解決するための手段】
【００１０】
上記課題を解決するために、請求項１に記載の発明は、第１のデバイス用に予め色域圧縮された画像データを、第２のデバイス用の画像データに色変換するためのデバイスリンクプロファイルを作成するデバイスリンクプロファイル作成装置であって、前記第１のデバイスのデバイス値に対して色彩値を対応付ける第１の色変換テーブル、色彩値に対して前記第１のデバイスのデバイス値を対応付ける第２の色変換テーブル、及び、色彩値に対して前記第２のデバイスのデバイス値を対応付ける第３の色変換テーブルを記憶する記憶部と、前記第１の色変換テーブルに含まれるデバイス値のうち、前記第１のデバイスの色域最外周の複数の第１のデバイス値を抽出し、当該抽出されたそれぞれの第１のデバイス値について、前記第２の色変換テーブルにより当該第１のデバイス値から所定の範囲内のデバイス値に色変換される少なくとも一つの第１の色彩値を、前記第２の色変換テーブルにより色変換して第２のデバイス値を取得し、前記第２のデバイス値を、前記第１の色変換テーブルにより色変換して第２の色彩値を取得し、前記第１の色彩値と前記第２の色彩値との色差を算出し、前記第１の色変換テーブルに含まれる当該第１のデバイス値に対応する色彩値を、前記第２の色彩値との色差が最も大きい前記第１の色彩値に置き換えることで、新たな第１の色変換テーブルを作成し、当該作成された新たな第１の色変換テーブル及び前記第３の色変換テーブルに基づいて、前記デバイスリンクプロファイルを作成する制御部と、を備える。
【００１１】
請求項２に記載の発明は、請求項１に記載のデバイスリンクプロファイル作成装置において、前記第１の色彩値は、前記第２の色変換テーブルに含まれる色彩値である。
【００１２】
請求項３に記載の発明は、請求項１に記載のデバイスリンクプロファイル作成装置において、前記第１のデバイス用に予め色域圧縮された画像データは、ＲＧＢ値から色変換されたものであり、前記記憶部は、さらに、ＲＧＢ値に対して色彩値を対応付ける第４の色変換テーブルを記憶し、前記第１の色彩値は、ＲＧＢ色空間における色域最外周のＲＧＢ値を前記第４の色変換テーブルにより色変換して得られた色彩値である。
【００１３】
請求項４に記載の発明は、請求項１から３のいずれか一項に記載のデバイスリンクプロファイル作成装置において、前記第１のデバイスの複数の要素色と前記第２のデバイスの複数の要素色とは同じ構成であり、前記第１のデバイスと前記第２のデバイスとの間で異なる色味の要素色が少なくとも一つ以上ある。
【００１４】
請求項５に記載の発明は、請求項１から４のいずれか一項に記載のデバイスリンクプロファイル作成装置において、前記第１のデバイス及び前記第２のデバイスは、電子写真方式のプリンターである。
【００１５】
請求項６に記載の発明は、第１のデバイスのデバイス値に対して色彩値を対応付ける第１の色変換テーブル、色彩値に対して前記第１のデバイスのデバイス値を対応付ける第２の色変換テーブル、及び、色彩値に対して第２のデバイスのデバイス値を対応付ける第３の色変換テーブルを用いて、前記第１のデバイス用に予め色域圧縮された画像データを、前記第２のデバイス用の画像データに色変換するためのデバイスリンクプロファイルを作成するデバイスリンクプロファイル作成方法であって、前記第１の色変換テーブルに含まれるデバイス値のうち、前記第１のデバイスの色域最外周の複数の第１のデバイス値を抽出する工程と、当該抽出されたそれぞれの第１のデバイス値について、前記第２の色変換テーブルにより当該第１のデバイス値から所定の範囲内のデバイス値に色変換される少なくとも一つの第１の色彩値を、前記第２の色変換テーブルにより色変換して第２のデバイス値を取得し、前記第２のデバイス値を、前記第１の色変換テーブルにより色変換して第２の色彩値を取得し、前記第１の色彩値と前記第２の色彩値との色差を算出し、前記第１の色変換テーブルに含まれる当該第１のデバイス値に対応する色彩値を、前記第２の色彩値との色差が最も大きい前記第１の色彩値に置き換えることで、新たな第１の色変換テーブルを作成する工程と、当該作成された新たな第１の色変換テーブル及び前記第３の色変換テーブルに基づいて、前記デバイスリンクプロファイルを作成する工程と、を含む。
【発明の効果】
【００１６】
本発明によれば、色域圧縮された画像データを他のデバイス用の画像データに色変換するためのデバイスリンクプロファイルを作成する際に、他のデバイスの色域を有効に活用することができる。
【図面の簡単な説明】
【００１７】
【図１】第１の実施の形態のデバイスリンクプロファイル作成装置の機能的構成を示すブロック図である。
【図２】（ａ）は、ＡｔｏＢテーブルの概念図である。（ｂ）は、ＢｔｏＡテーブルの概念図である。
【図３】ＲＧＢデータ、通常トナー、高彩度トナーの色域を示す模式図である。
【図４】第１の実施の形態のデバイスリンクプロファイル作成装置により実行されるデバイスリンクプロファイル作成処理を示すフローチャートである。
【図５】ある色相角断面におけるデバイスＮの色域を示す模式図である。
【図６】（ａ）は、ＲＧＢデータを、デバイスＮ用のＣＭＹＫデータに色変換した場合の色域を示す図である。（ｂ）は、色域圧縮されたＣＭＹＫデータを、デバイスＶ用のＣＭＹＫデータに色変換した場合の色域を示す図である。
【図７】第２の実施の形態のデバイスリンクプロファイル作成装置の機能的構成を示すブロック図である。
【図８】第２の実施の形態のデバイスリンクプロファイル作成装置により実行されるデバイスリンクプロファイル作成処理を示すフローチャートである。
【図９】（ａ）は、ＲＧＢデータの色域を示す図である。（ｂ）は、ＲＧＢデータを、通常トナープリンター用のＣＭＹＫデータに色変換した場合の色域を示す図である。（ｃ）は、色域圧縮されたＣＭＹＫデータを、高彩度トナープリンター用のＣＭＹＫデータに色変換した場合の色域を示す従来の図である。
【発明を実施するための形態】
【００１８】
［第１の実施の形態］
まず、本発明に係るデバイスリンクプロファイル作成装置の第１の実施の形態について説明する。
【００１９】
図１に、第１の実施の形態におけるデバイスリンクプロファイル作成装置１０の機能的構成を示す。
図１に示すように、デバイスリンクプロファイル作成装置１０は、制御部としてのＣＰＵ（Central Processing Unit）１１、ＲＯＭ（Read Only Memory）１２、ＲＡＭ（Random Access Memory）１３、操作部１４、表示部１５、通信部１６、記憶部１７等を備えて構成され、各部はバス１８により接続されている。デバイスリンクプロファイル作成装置１０は、一般のＰＣ（Personal Computer）により実現される。
【００２０】
ＣＰＵ１１は、デバイスリンクプロファイル作成装置１０の各部の処理動作を統括的に制御する。ＣＰＵ１１は、操作部１４から入力される操作信号又は通信部１６により受信される指示信号に応じて、ＲＯＭ１２又は記憶部１７に格納されている各種処理プログラムを読み出してＲＡＭ１３に展開し、当該プログラムとの協働により各種処理を実行する。
【００２１】
ＲＯＭ１２は、不揮発性の半導体メモリ等により構成され、制御プログラム、当該プログラムの実行に必要なパラメーターやファイル等を記憶している。
【００２２】
ＲＡＭ１３は、ＣＰＵ１１により実行される各種処理プログラム及びこれらプログラムに係るデータを一時的に記憶するワークエリアを形成する。
【００２３】
操作部１４は、カーソルキー、文字入力キー、及び各種機能キー等を備えたキーボードと、マウス等のポインティングデバイスを備えて構成され、ユーザーによる操作入力を受け付ける。操作部１４は、キーボードに対するキー操作やマウス操作により入力された操作信号をＣＰＵ１１に出力する。
【００２４】
表示部１５は、ＬＣＤ（Liquid Crystal Display）を備え、ＣＰＵ１１からの指示に従って、各種操作画面や各種処理結果を表示する。
【００２５】
通信部１６は、外部機器との間でデータの送受信を行う。例えば、通信部１６は、外部機器から各種デバイスのプロファイルを受信する。また、通信部１６は、作成されたデバイスリンクプロファイルを外部機器に送信する。
【００２６】
記憶部１７は、ハードディスク等の記憶装置からなり、各種処理プログラムや各種処理に関するデータ等を記憶する。記憶部１７には、デバイスリンクプロファイル作成プログラム２０が予め記憶されている。デバイスリンクプロファイル作成プログラム２０は、後述するデバイスリンクプロファイル作成処理（図４参照）を実行するためのプログラムである。
【００２７】
また、記憶部１７には、外部機器から取得されるデバイスＮのプロファイル３０、デバイスＶのプロファイル４０が記憶される。
第１のデバイスとしてのデバイスＮは、画像データ（ＣＭＹＫ値）に基づいて、複数の要素色（シアン、マゼンタ、イエロー、ブラック）のトナーにより用紙上に画像を形成する電子写真方式のプリンターである。
第２のデバイスとしてのデバイスＶは、画像データ（ＣＭＹＫ値）に基づいて、複数の要素色（シアン、マゼンタ、イエロー、ブラック）のトナーにより用紙上に画像を形成する電子写真方式のプリンターである。
【００２８】
デバイスＮとデバイスＶとの間で、異なる色味の要素色（シアン、マゼンタ、イエロー、ブラック）が少なくとも一つ以上あり、表現可能な色域が異なっている。本実施の形態では、デバイスＶで用いるシアン及びマゼンタのトナーが、デバイスＮで用いるシアン及びマゼンタのトナーより彩度が高いことにより、デバイスＮとデバイスＶとの間で、シアン及びマゼンタのトナーの色味が異なっている。なお、イエロー及びブラックのトナーについては同じ色味である。
以下、デバイスＮで用いるトナーを通常トナー、デバイスＶで用いるトナーを高彩度トナーという。
【００２９】
デバイスＮのプロファイル３０には、ＡｔｏＢテーブル３１と、ＢｔｏＡテーブル３２と、が含まれる。
ＡｔｏＢテーブル３１は、デバイスＮのデバイス値に対して色彩値を対応付ける第１の色変換テーブルとしてのルックアップテーブルである（デバイス値→色彩値）。
ＢｔｏＡテーブル３２は、色彩値に対してデバイスＮのデバイス値を対応付ける第２の色変換テーブルとしてのルックアップテーブルである（色彩値→デバイス値）。
【００３０】
デバイスＶのプロファイル４０には、ＡｔｏＢテーブル４１と、ＢｔｏＡテーブル４２と、が含まれる。
ＡｔｏＢテーブル４１は、デバイスＶのデバイス値に対して色彩値を対応付けるルックアップテーブルである（デバイス値→色彩値）。
ＢｔｏＡテーブル４２は、色彩値に対してデバイスＶのデバイス値を対応付ける第３の色変換テーブルとしてのルックアップテーブルである（色彩値→デバイス値）。
【００３１】
図２（ａ）は、ＡｔｏＢテーブルの概念図である。ＡｔｏＢテーブルには、対象となるデバイスが取り得るＣＭＹＫ値の複数の組み合わせ（ＣＭＹＫ色空間をＣＭＹＫそれぞれの値で格子状に分割した各格子点）に対して、それぞれ対応する色彩値（ＸＹＺ値）が書かれている。
図２（ｂ）は、ＢｔｏＡテーブルの概念図である。ＢｔｏＡテーブルには、複数の色彩値（ＸＹＺ色空間をＸＹＺそれぞれの値で格子状に分割した各格子点）に対して、それぞれ対応するデバイス値（ＣＭＹＫ値）が書かれている。
【００３２】
デバイスＮのプロファイル３０、デバイスＶのプロファイル４０は、ＩＣＣデバイスプロファイルであることが好ましいが、実質的にＡｔｏＢテーブル（デバイス値→色彩値）及びＢｔｏＡテーブル（色彩値→デバイス値）と同等のデータを持っていれば、他の任意のフォーマットでもよい。
【００３３】
ＣＰＵ１１は、デバイスＮ用に予め色域圧縮された画像データ（ＣＭＹＫデータ）を、デバイスＶ用の画像データ（ＣＭＹＫデータ）に色変換するためのデバイスリンクプロファイルを作成する。デバイスＮ用に色域圧縮されたＣＭＹＫデータは、元々ＲＧＢ値で表されていた画像データを、ＲＧＢプロファイルを用いてＸＹＺ値等の色彩値に色変換し、この色彩値を、デバイスＮのプロファイル３０のＢｔｏＡテーブル３２を用いてＣＭＹＫデータに色変換することにより、作成されたものである。あるいは、ＢｔｏＡテーブル３２を用いた場合と同条件、すなわち、同じプロファイラーで同じ設定で作成されたものでもよい。
【００３４】
図３に、ＲＧＢデータ、通常トナー、高彩度トナーの色域を示す。図３は、Ｌ＊ａ＊ｂ＊色空間の所定のＬ＊について、ａ＊ｂ＊平面内での色域を示したものである。デバイスＶ（高彩度トナー）の色域は、デバイスＮ（通常トナー）の色域より広い部分がある。
【００３５】
具体的に、ＣＰＵ１１は、ＡｔｏＢテーブル３１に含まれるデバイス値のうち、デバイスＮの色域最外周の複数の第１のデバイス値Ａ０ｉを抽出する。
「デバイスＮの色域最外周」とは、デバイスＮにより表現することができる色の範囲（色域）のうち、それぞれの明度で彩度が最も高い点、又は、それぞれの色相・彩度で明度が最も高い点及び最も低い点の集合をいう。
【００３６】
ＣＰＵ１１は、抽出されたそれぞれの第１のデバイス値Ａ０ｉについて、以下の（１）〜（４）の処理を行い、新たなＡｔｏＢテーブルを作成する。
（１）ＣＰＵ１１は、ＢｔｏＡテーブル３２により第１のデバイス値Ａ０ｉから所定の範囲内のデバイス値に色変換される少なくとも一つの第１の色彩値Ｂ１ｉを、ＢｔｏＡテーブル３２により色変換して第２のデバイス値Ａ２ｉを取得する。
（２）ＣＰＵ１１は、第２のデバイス値Ａ２ｉを、ＡｔｏＢテーブル３１により色変換して第２の色彩値Ｂ２ｉを取得する。
（３）ＣＰＵ１１は、第１の色彩値Ｂ１ｉと第２の色彩値Ｂ２ｉとの色差を算出する。
（４）ＣＰＵ１１は、ＡｔｏＢテーブル３１に含まれる第１のデバイス値Ａ０ｉに対応する色彩値を、当該第１のデバイス値Ａ０ｉについて求められた、第２の色彩値Ｂ２ｉとの色差が最も大きい第１の色彩値Ｂ１ｉに置き換える。
【００３７】
ＣＰＵ１１は、作成された新たなＡｔｏＢテーブル及びＢｔｏＡテーブル４２に基づいて、デバイスリンクプロファイルを作成する。
【００３８】
次に、デバイスリンクプロファイル作成装置１０の動作について説明する。
図４は、デバイスリンクプロファイル作成装置１０により実行されるデバイスリンクプロファイル作成処理を示すフローチャートである。この処理は、ＣＰＵ１１と、記憶部１７に記憶されているデバイスリンクプロファイル作成プログラム２０との協働によるソフトウェア処理によって実現される。
【００３９】
まず、外部機器に保存されているプロファイルのうち、ユーザーの操作部１４からの操作に基づいて、デバイスＮのプロファイル３０及びデバイスＶのプロファイル４０が指定され、ＣＰＵ１１により、通信部１６を介して、デバイスＮのプロファイル３０及びデバイスＶのプロファイル４０が取得される（ステップＳ１）。取得されたデバイスＮのプロファイル３０及びデバイスＶのプロファイル４０は、ＣＰＵ１１により、記憶部１７に記憶される。
【００４０】
次に、ＣＰＵ１１により、記憶部１７に記憶されているデバイスＮのプロファイル３０のＡｔｏＢテーブル３１に含まれるデバイス値（ＣＭＹＫ格子点）の最明点と最暗点について、対応する色彩値が、記憶部１７に記憶されているデバイスＮのプロファイル３０のＢｔｏＡテーブル３２に含まれる色彩値（ＸＹＺ格子点）の最明点と最暗点に置き換えられる（ステップＳ２）。
【００４１】
「ＡｔｏＢテーブル３１に含まれるデバイス値の最明点」とは、全要素色の値が最も明るい場合のデバイス値である。すなわち、ＣＭＹＫの％表記の場合、デバイス値の最明点は、Ｃ＝０，Ｍ＝０，Ｙ＝０，Ｋ＝０である。
「ＡｔｏＢテーブル３１に含まれるデバイス値の最暗点」とは、全要素色の値が最も暗い場合のデバイス値である。すなわち、ＣＭＹＫの％表記の場合、デバイス値の最暗点は、Ｃ＝１００，Ｍ＝１００，Ｙ＝１００，Ｋ＝１００である。
【００４２】
「ＢｔｏＡテーブル３２に含まれる色彩値の最明点」とは、明度が最も高く、かつ彩度が最も低い色彩値である。
「ＢｔｏＡテーブル３２に含まれる色彩値の最暗点」とは、明度が最も低く、かつ彩度が最も低い色彩値である。
色彩値（色空間座標値）が直接明度や彩度を表していない場合には、公知の方法で適切な換算を行う。
【００４３】
次に、ＣＰＵ１１により、デバイスＮのプロファイル３０のＡｔｏＢテーブル３１に含まれるデバイス値（ＣＭＹＫ格子点）のうち、デバイスＮの色域最外周に該当する複数の第１のデバイス値Ａ０ｉが抽出される（ステップＳ３）。具体的には、ＣＭＹＫの％表記の場合、色域最外周のデバイス値として、下記（１）〜（３）のいずれかを満たすデバイス値が抽出される。
（１）Ｋ＝０、かつＣ，Ｍ，Ｙの少なくとも一つが０であるデバイス値
（２）Ｃ，Ｍ，Ｙの少なくとも一つが０であり、かつ少なくとも一つが１００であるデバイス値
（３）Ｋ＝１００、かつＣ，Ｍ，Ｙの少なくとも一つが１００であるデバイス値
ただし、ステップＳ２において処理されたデバイス値の最明点及び最暗点は除く。
【００４４】
次に、ＣＰＵ１１により、デバイスＮのプロファイル３０のＢｔｏＡテーブル３２に含まれる色彩値のうち、デバイスＮのプロファイル３０のＢｔｏＡテーブル３２により第１のデバイス値Ａ０ｉから所定の範囲内のデバイス値に色変換される少なくとも一つの第１の色彩値Ｂ１ｉが抽出される（ステップＳ４）。すなわち、ＢｔｏＡテーブル３２を用いて第１の色彩値Ｂ１ｉを色変換して得られたデバイス値は、第１のデバイス値Ａ０ｉから所定の範囲内となる。
【００４５】
本実施の形態では、第１のデバイス値Ａ０ｉ（色域最外周のデバイス値）と対象デバイス値との各要素色の値の差が全てＡｔｏＢテーブル３１のデバイス値の要素色の間隔（すなわち、隣の格子点までの距離）の半分（０．５倍）未満である場合に、「第１のデバイス値Ａ０ｉから所定の範囲内のデバイス値」であると判定する。
例えば、ＡｔｏＢテーブル３１のデバイス値がＣＭＹＫそれぞれ１０％間隔である場合、対象デバイス値がＣ＝５２，Ｍ＝４９，Ｙ＝０，Ｋ＝０ならば、色域最外周のデバイス値Ｃ＝５０，Ｍ＝５０，Ｙ＝０，Ｋ＝０と比べて、各要素色の値の差はそれぞれ２，１，０，０で全て間隔（１０％）の半分（５％）より小さいので、第１のデバイス値Ａ０ｉから所定の範囲内であると判定する。
【００４６】
図５は、ある色相角断面におけるデバイスＮの色域を示す模式図である。ＢｔｏＡテーブル３２に含まれる色彩値のうち、ＢｔｏＡテーブル３２による写像先が、ＡｔｏＢテーブル３１に含まれるデバイスＮの色域最外周の第１のデバイス値Ａ０ｉのいずれかから所定の範囲内のデバイス値となる第１の色彩値Ｂ１ｉ（図５に示す注目点に対し、領域Ｄに含まれる白丸の格子点）が抽出される。
【００４７】
次に、ＣＰＵ１１により、第１の色彩値Ｂ１ｉがデバイスＮのプロファイル３０のＢｔｏＡテーブル３２により色変換され、第２のデバイス値Ａ２ｉが取得される（ステップＳ５）。
【００４８】
次に、ＣＰＵ１１により、第２のデバイス値Ａ２ｉがデバイスＮのプロファイル３０のＡｔｏＢテーブル３１により色変換され、第２の色彩値Ｂ２ｉが取得される（ステップＳ６）。具体的には、ＡｔｏＢテーブル３１に含まれるデバイス値のうち、第２のデバイス値Ａ２ｉの近傍のデバイス値に対応する色彩値に基づいて、補間処理が行われ、第２の色彩値Ｂ２ｉが算出される。
【００４９】
次に、ＣＰＵ１１により、第１の色彩値Ｂ１ｉと第２の色彩値Ｂ２ｉとの色差が算出される（ステップＳ７）。「第１の色彩値Ｂ１ｉと第２の色彩値Ｂ２ｉとの色差」として、ΔＥ等の均等色空間における距離を用いることが好ましい。第１の色彩値Ｂ１ｉと第２の色彩値Ｂ２ｉとの色差は、図５の色域外写像を示す矢印の長さに相当するものである。
【００５０】
ステップＳ３において抽出されたそれぞれの第１のデバイス値Ａ０ｉ（色域最外周の格子点）について、ステップＳ４〜ステップＳ７の処理が行われると、それぞれの第１のデバイス値Ａ０ｉに対応する少なくとも一つの第１の色彩値Ｂ１ｉが得られ、それぞれの第１の色彩値Ｂ１ｉに対して、第１の色彩値Ｂ１ｉと第２の色彩値Ｂ２ｉとの色差が算出される。
【００５１】
次に、ＣＰＵ１１により、デバイスＮのプロファイル３０のＡｔｏＢテーブル３１に含まれる第１のデバイス値Ａ０ｉ（ステップＳ３において抽出されたデバイスＮの色域最外周のデバイス値）に対応する色彩値が、当該第１のデバイス値Ａ０ｉについて求められた、第２の色彩値Ｂ２ｉとの色差が最も大きい第１の色彩値Ｂ１ｉに置き換えられて、新たなＡｔｏＢテーブルが作成される（ステップＳ８）。
すなわち、ＡｔｏＢテーブル３１に含まれる個々の第１のデバイス値Ａ０ｉに対し、ＢｔｏＡテーブル３２により当該第１のデバイス値Ａ０ｉから所定の範囲内のデバイス値に色変換される第１の色彩値Ｂ１ｉのうち、第１の色彩値Ｂ１ｉと第２の色彩値Ｂ２ｉとの色差が最も大きい第１の色彩値Ｂ１ｉを対応付けるように、デバイスＮのＡｔｏＢテーブル３１が変更される。
【００５２】
ステップＳ２〜ステップＳ８の処理において、高速化や装置の負荷低減のために公知の手法を使用することとしてもよい。また、一部の処理が並行して行われることとしてもよい。
【００５３】
次に、ＣＰＵ１１により、ステップＳ８において作成された新たなＡｔｏＢテーブルと、デバイスＶのプロファイル４０のＢｔｏＡテーブル４２に基づいて、デバイスリンクプロファイルが作成される（ステップＳ９）。
デバイスＮのプロファイル３０の新たなＡｔｏＢテーブルは、ここまでの処理によって、色域最外周のデバイス値については対応する色彩値が置き換えられた状態になっている（それ以外は元のままである。）。この新たなＡｔｏＢテーブルをソース側に用い、デバイスＶのプロファイル４０のＢｔｏＡテーブル４２をデスティネーション側に用いて、公知の方法でデバイスリンクプロファイルが作成される。
【００５４】
一般的には、新たなＡｔｏＢテーブルを用いてソース側のデバイス値Ａsrcに対応する色彩値Ｂを求め、デスティネーション側のＢｔｏＡテーブル４２を用いてその色彩値Ｂに対応するデバイス値Ａdstを求め、デバイス値同士を直接対応付けてＡsrc→Ａdstの色変換テーブルを作成する。
【００５５】
作成されたデバイスリンクプロファイルは、ＣＰＵ１１により、記憶部１７に記憶される。そして、デバイスリンクプロファイルは、ＣＰＵ１１により、通信部１６を介して、デバイスＮ用に色域圧縮されたＣＭＹＫデータをデバイスＶ用に色変換するプリンターコントローラー等の外部機器に送信される。
【００５６】
図６（ａ）に、ＲＧＢデータを、通常トナーを用いたデバイスＮ用のＣＭＹＫデータ（色域圧縮されたＣＭＹＫデータ）に色変換した場合の色域を示す。また、図６（ｂ）に、この色域圧縮されたＣＭＹＫデータを、ステップＳ９で作成されたデバイスリンクプロファイルを用いてデバイスＶ用のＣＭＹＫデータに色変換した場合の色域を示す。ＲＧＢデータから直接デバイスＶ用のＣＭＹＫデータに色変換した場合と同様の色域を得ることができる。
【００５７】
以上説明したように、第１の実施の形態におけるデバイスリンクプロファイル作成装置１０によれば、デバイスＮのプロファイル３０のＢｔｏＡテーブル３２を参照することにより、元のＲＧＢデータからデバイスＮ用のＣＭＹＫデータが作成された際に、デバイスＮの色域外の色彩値がどのように色域圧縮されたか（圧縮時の写像）を、デバイスリンクプロファイルに反映させることができる。
【００５８】
具体的には、デバイスＮのプロファイル３０のＡｔｏＢテーブル３１に含まれるデバイスＮの色域最外周の第１のデバイス値Ａ０ｉ（ＡｔｏＢテーブル３１の色域最外周のＣＭＹＫ格子点）に対応する色彩値を、ＢｔｏＡテーブル３２により第１のデバイス値Ａ０ｉから所定の範囲内のデバイス値に色変換される第１の色彩値Ｂ１ｉのうち、デバイスＮの色域から最も離れたデバイスＮの色域外の色彩値に置き換えることにより、ＡｔｏＢテーブル３１により色変換された後の色彩値の色域を一旦拡張することができる。この拡張された色域に対して、デバイスＶのプロファイル４０のＢｔｏＡテーブル４２を用いてデバイスＶのデバイス値を求めるので、デバイスＮ用に色域圧縮された画像データをデバイスＶ用の画像データに色変換するためのデバイスリンクプロファイルを作成する際に、デバイスＶの色域を有効に活用することができる。
【００５９】
このように、元のＲＧＢデータを用いることなく、元のＲＧＢデータから直接デバイスＶ用のＣＭＹＫデータに色変換した場合に近いＣＭＹＫデータが得られるデバイスリンクプロファイルを作成することができる。すなわち、デバイスＮ用に色域圧縮されたＣＭＹＫデータを、圧縮前の色域と圧縮時の写像が考慮された、デバイスＶでの再現に適したＣＭＹＫデータに色変換するデバイスリンクプロファイルを作成することができる。
【００６０】
また、色域の拡張は色域外周に近い部分で行われ、色域内部は色彩値を維持することができるので、好ましい色再現になる。
また、デバイスＮのプロファイル３０及びデバイスＶのプロファイル４０に含まれるルックアップテーブルを参照してデバイスリンクプロファイルを作成するので、新たに各デバイスの色域を求めて比較する等の複雑な処理は必要なく、比較的簡単にデバイスリンクプロファイルを作成することができる。
【００６１】
［第２の実施の形態］
次に、本発明を適用した第２の実施の形態について説明する。
図７に、第２の実施の形態におけるデバイスリンクプロファイル作成装置５０の機能的構成を示す。デバイスリンクプロファイル作成装置５０は、第１の実施の形態に示したデバイスリンクプロファイル作成装置１０と同様の構成によってなるため、同一の構成については同一の符号を付し、説明を省略する。以下、第２の実施の形態に特徴的な構成及び処理について説明する。
【００６２】
第２の実施の形態では、デバイスＮ用に色域圧縮されたＣＭＹＫデータを作成した際の元のＲＧＢ色空間（AdobeＲＧＢ、ｓＲＧＢ等）が特定されており、ＲＧＢ値に対応する色彩値が予め分かっている。
【００６３】
記憶部１７には、外部機器から取得されるＲＧＢプロファイル６０が記憶される。ＲＧＢプロファイル６０は、ＲＧＢ値に対して色彩値を対応付ける第４の色変換テーブルとしてのルックアップテーブルを含む。
【００６４】
ＣＰＵ１１は、デバイスＮ用に予め色域圧縮された画像データ（ＣＭＹＫデータ）を、デバイスＶ用の画像データ（ＣＭＹＫデータ）に色変換するためのデバイスリンクプロファイルを作成する。デバイスＮ用に色域圧縮されたＣＭＹＫデータは、元々ＲＧＢ値で表されていた画像データを、ＲＧＢプロファイル６０を用いてＸＹＺ値等の色彩値に色変換し、この色彩値を、デバイスＮのプロファイル３０のＢｔｏＡテーブル３２を用いてＣＭＹＫデータに色変換することにより、作成されたものである。
【００６５】
第１の実施の形態では、図４のステップＳ４において、デバイスＮのプロファイル３０のＢｔｏＡテーブル３２に含まれる色彩値の中から第１の色彩値Ｂ１ｉを抽出することとしたが、第２の実施の形態は、元のＲＧＢ色空間における色域最外周に該当するＲＧＢ値をＲＧＢプロファイル６０より色変換して得られた色彩値の中から第１の色彩値Ｂ１ｉを抽出する場合の例である。
【００６６】
次に、第２の実施の形態におけるデバイスリンクプロファイル作成装置５０の動作について説明する。
図８は、第２の実施の形態のデバイスリンクプロファイル作成装置５０により実行されるデバイスリンクプロファイル作成処理を示すフローチャートである。この処理は、ＣＰＵ１１と、記憶部１７に記憶されているデバイスリンクプロファイル作成プログラム２０との協働によるソフトウェア処理によって実現される。
【００６７】
ステップＳ１１の処理は、図４のステップＳ１の処理と同様であるため、説明を省略する。
【００６８】
次に、外部機器に保存されているプロファイルのうち、ユーザーの操作部１４からの操作に基づいて、デバイスＮ用に色域圧縮されたＣＭＹＫデータが色変換される前の元のＲＧＢデータに対応するＲＧＢプロファイル６０が指定され、ＣＰＵ１１により、通信部１６を介して、ＲＧＢプロファイル６０が取得される（ステップＳ１２）。取得されたＲＧＢプロファイル６０は、ＣＰＵ１１により、記憶部１７に記憶される。
【００６９】
ステップＳ１３，１４の処理は、図４のステップＳ２，Ｓ３の処理と同様であるため、説明を省略する。
【００７０】
次に、ＣＰＵ１１により、記憶部１７に記憶されているＲＧＢプロファイル６０に基づいて、元のＲＧＢ色空間における色域最外周のＲＧＢ値に対応する色彩値が算出される。具体的には、ＲＧＢプロファイル６０が参照され、ＲＧＢ色空間の色域最外周（Ｒ，Ｇ，Ｂの少なくとも一つが最小値又は最大値であるＲＧＢ値）を十分小さい間隔で区切った点（例えば、ＲＧＢ値０〜２５５を４刻みで組み合わせたＲＧＢ値）に対応する色彩値が求められる。
そして、ＣＰＵ１１により、ＲＧＢ色空間における色域最外周のＲＧＢ値に対応する色彩値のうち、デバイスＮのプロファイル３０のＢｔｏＡテーブル３２により第１のデバイス値Ａ０ｉから所定の範囲内のデバイス値に色変換される少なくとも一つの第１の色彩値Ｂ１ｉが抽出される（ステップＳ１５）。
【００７１】
ステップＳ１６〜Ｓ２０の処理は、図４のステップＳ５〜Ｓ９の処理と同様であるため、説明を省略する。
【００７２】
以上説明したように、第２の実施の形態におけるデバイスリンクプロファイル作成装置５０によれば、第１の実施の形態と同様の効果に加え、元のＲＧＢ色空間の色域最外周のＲＧＢ値に対応する色彩値を、デバイスＮのプロファイル３０のＡｔｏＢテーブル３１に含まれるデバイスＮの色域最外周のデバイス値に対応する色彩値と置き換える候補とするので、元のＲＧＢデータから直接デバイスＶ用のＣＭＹＫデータに色変換した場合により近いＣＭＹＫデータが得られるデバイスリンクプロファイルを作成することができる。
【００７３】
なお、上記各実施の形態における記述は、本発明に係るデバイスリンクプロファイル作成装置の例であり、これに限定されるものではない。装置を構成する各部の細部構成及び細部動作に関しても本発明の趣旨を逸脱することのない範囲で適宜変更可能である。
【００７４】
例えば、第１のデバイス値Ａ０ｉから所定の範囲内であるか否かの判断の基準となる「所定の範囲」は、任意に変更可能である。
【００７５】
また、図４のステップＳ８又は図８のステップＳ１９において、第１のデバイス値Ａ０ｉ（色域最外周の格子点）と第２のデバイス値Ａ２ｉが近いほど、第１の色彩値Ｂ１ｉと第２の色彩値Ｂ２ｉとの色差に対する重み付けを大きくして、いずれの第１の色彩値Ｂ１ｉを採用するかを評価してもよい。例えば、第１のデバイス値Ａ０ｉと第２のデバイス値Ａ２ｉの各要素色の値の差が全てＡｔｏＢテーブル３１のデバイス値の要素色の間隔の１／４（０．２５倍）未満であれば、第１の色彩値Ｂ１ｉと第２の色彩値Ｂ２ｉとの色差を１．２倍した値で評価する。
【００７６】
また、上記各実施の形態では、ＡｔｏＢテーブル及びＢｔｏＡテーブルに記述されているデバイス値としてＣＭＹＫ値を用いた場合について説明したが、デバイスの要素色として、他の色の組み合わせを用いてもよい。
また、上記各実施の形態では、ＡｔｏＢテーブル及びＢｔｏＡテーブルに記述されている色彩値としてＸＹＺ値を用いた場合について説明したが、Ｌ＊ａ＊ｂ＊等の色空間座標を用いてもよい。
また、上記各実施の形態では、デバイスＮ用に色域圧縮される前の元データがＲＧＢデータの場合について説明したが、他の形式のデータでもよい。
【００７７】
また、上記各実施の形態では、デバイスＮとデバイスＶとの間で、シアン及びマゼンタのトナーの色味が異なる場合について説明したが、両デバイス間で異なる色味の要素色が少なくとも一つ以上あればよい。
【００７８】
以上の説明では、各処理を実行するためのプログラムを格納したコンピュータ読み取り可能な媒体としてＲＯＭやハードディスクを使用した例を開示したが、この例に限定されない。その他のコンピュータ読み取り可能な媒体として、フラッシュメモリ等の不揮発性メモリ、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【００７９】
１０  デバイスリンクプロファイル作成装置
１１  ＣＰＵ
１２  ＲＯＭ
１３  ＲＡＭ
１４  操作部
１５  表示部
１６  通信部
１７  記憶部
１８  バス
２０  デバイスリンクプロファイル作成プログラム
３０  デバイスＮのプロファイル
３１  ＡｔｏＢテーブル
３２  ＢｔｏＡテーブル
４０  デバイスＶのプロファイル
４１  ＡｔｏＢテーブル
４２  ＢｔｏＡテーブル
５０  デバイスリンクプロファイル作成装置
６０  ＲＧＢプロファイル
【図１】
2013005128.tif 000003
【図２】
2013005128.tif 000004
【図３】
2013005128.tif 000005
【図４】
2013005128.tif 000006
【図５】
2013005128.tif 000007
【図６】
2013005128.tif 000008
【図７】
2013005128.tif 000009
【図８】
2013005128.tif 000010
【図９】
2013005128.tif 000011